(57)【要約】【課題】輸液における気泡検出アラームの発生頻度を低減する技術を提供する。【解決手段】輸液用チューブユニットは、輸液される液体の送液方向において、輸液ポンプよりも上流側に設けられ、液体を内部に滴下するドリップチャンバーと、ドリップチャンバーよりも下流側であって輸液ポンプよりも上流側に設けられ、輸液用チューブユニットの内部で発生した気泡を貯留可能なトラップチャンバーと、を有する。【選択図】図１
2018122054.tif 000002
【特許請求の範囲】
【請求項１】
気泡を検出可能な輸液ポンプが装着される輸液用チューブユニットであって、
輸液される液体の送液方向において、前記輸液ポンプよりも上流側に設けられ、前記液体を内部に滴下するドリップチャンバーと、
前記ドリップチャンバーよりも下流側であって前記輸液ポンプよりも上流側に設けられ、前記輸液用チューブユニットの内部で発生した気泡を貯留可能なトラップチャンバーと、を有する、
輸液用チューブユニット。
【請求項２】
前記輸液用チューブユニットは、前記輸液ポンプが気泡を検出した場合に、当該気泡が検出された位置よりも下流側の位置で閉塞可能に構成されており、
前記トラップチャンバーは、収縮可能に形成されており、
前記ドリップチャンバーよりも下流側であって前記トラップチャンバーよりも上流側の位置には、使用者が操作することによって前記輸液用チューブユニットを閉塞可能な閉塞部材が設けられている、
請求項１に記載の輸液用チューブユニット。
【請求項３】
前記トラップチャンバーよりも下流側の位置であって前記輸液ポンプが気泡を検出した場合に閉塞される位置よりも上流側の位置には、使用者が操作することによって当該位置における流路断面積を小さくすることが可能な流路断面積縮小部材が設けられている、請求項２に記載の輸液用チューブユニット。
【請求項４】
前記トラップチャンバーは、収縮可能に形成されており、
前記トラップチャンバーの容積は、前記輸液用チューブユニットにおける前記ドリップチャンバーの下流端から当該トラップチャンバーの上流端までの部位における容積よりも大きい、
請求項１から３の何れか１項に記載の輸液用チューブユニット。
【請求項５】
気泡を検出可能な輸液ポンプと、
前記輸液ポンプが装着される輸液用チューブユニットと、を備える輸液システムにおける気泡の除去方法であって、
前記輸液用チューブユニットは、
輸液される液体の送液方向において、前記輸液ポンプよりも上流側に設けられ、前記液体を内部に滴下するドリップチャンバーと、
前記ドリップチャンバーよりも下流側であって前記輸液ポンプよりも上流側に設けられ、前記輸液用チューブユニットの内部で発生した気泡を貯留可能なトラップチャンバーと、を有し、
前記トラップチャンバーは、収縮可能に形成されており、
前記気泡の除去方法は、
前記輸液ポンプが気泡を検出した場合には、当該気泡が検出された位置よりも下流側の位置と、前記トラップチャンバーよりも上流側であって前記ドリップチャンバーよりも下流側の位置とで前記輸液用チューブユニットを閉塞する閉塞工程と、
前記トラップチャンバーを収縮させることによって当該輸液用チューブユニットの内部を加圧する加圧工程と、を含む、
気泡の除去方法。
【請求項６】
気泡を検出可能な輸液ポンプと、
前記輸液ポンプが装着される輸液用チューブユニットと、を備える輸液システムであって、
前記輸液用チューブユニットは、
輸液される液体の送液方向において、前記輸液ポンプよりも上流側に設けられ、前記液体を内部に滴下するドリップチャンバーと、
前記ドリップチャンバーよりも下流側であって前記輸液ポンプよりも上流側に設けられ、前記輸液用チューブユニットの内部で発生した気泡を貯留可能なトラップチャンバーと、を有する、
輸液システム。
【発明の詳細な説明】
【技術分野】
【０００１】
本発明は、輸液用チューブユニット、及び輸液システム、並びに気泡の除去方法の技術に関する。
【背景技術】
【０００２】
従来、輸液バッグが接続された輸液チューブを複数のフィンガにより順次押圧することで輸液を行う蠕動式輸液ポンプ（以下、単に輸液ポンプと称す）が知られている。一般的に、輸液中に混入した気泡が生体に侵入しない方が好ましいとされている。そのため、輸液ポンプには、輸液内の気泡を検出するための気泡センサが設けられているのが一般的である。
【０００３】
上記に関連して、特許文献１には、輸液ポンプに固定される輸液用チューブが開示されている。
【先行技術文献】
【特許文献】
【０００４】
【特許文献１】特開２０１１−２０６２１０号公報
【発明の概要】
【発明が解決しようとする課題】
【０００５】
特許文献１に開示された輸液用チューブは、液中に混入した気泡が生体内に侵入することを防止するために、気泡検出センサによって気泡が検出された場合、アラーム（気泡検出アラーム）を表示して周囲に気泡が混入したことを通知し、輸液チューブ内から気泡を除去することを促す。気泡検出アラームの度に、医師や看護士等の作業者は気泡を輸液用チューブ内から除去する作業を行わなくてはならないが、気泡は頻繁に液中に発生するものであるため、気泡検出アラームの発生頻度が高いことによる、作業者の負担が問題視されている。また、頻繁にアラームが発生することによって、患者が煩わしく感じるという問題もある。これにより、気泡検出アラームの発生頻度を低減する技術が求められていた。
【０００６】
本発明は、上記の問題に鑑みてなされたものであり、その目的は、輸液において気泡検出アラームの発生頻度を低減することを目的とする。
【課題を解決するための手段】
【０００７】
上記課題を解決するため、本発明は、以下の手段を採用した。即ち、本発明は、
気泡を検出可能な輸液ポンプが装着される輸液用チューブユニットであって、
輸液される液体の送液方向において、前記輸液ポンプよりも上流側に設けられ、前記液体を内部に滴下するドリップチャンバーと、
前記ドリップチャンバーよりも下流側であって前記輸液ポンプよりも上流側に設けられ、前記輸液用チューブユニットの内部で発生した気泡を貯留可能なトラップチャンバーと、を有する。
【０００８】
本発明によれば、輸液用チューブユニットの内部で気泡が発生した場合に、気泡の一部を、輸液ポンプに検出される前にトラップチャンバーに貯留することができる。液中に混入した気泡を、輸液ポンプよりも上流に留めることができる。これにより、気泡検出アラームの頻度を低減することできる。
【０００９】
また、本発明は、
前記輸液用チューブユニットは、前記輸液ポンプが気泡を検出した場合に、当該気泡が検出された位置よりも下流側の位置で閉塞可能に構成されており、
前記トラップチャンバーは、収縮可能に形成されており、
前記ドリップチャンバーよりも下流側であって前記トラップチャンバーよりも上流側の位置には、使用者が操作することによって前記輸液用チューブユニットを閉塞可能な閉塞部材が設けられていてもよい。
【００１０】
これによれば、気泡が検出された位置よりも下流側の位置とトラップチャンバーよりも上流側であってドリップチャンバーよりも下流側の位置で輸液用チューブユニットを閉塞することができ、その状態で、トラップチャンバーを収縮させることによって、輸液用チューブユニット内を加圧することができる。その結果、トラップチャンバーの収縮と復元を繰り返すという簡単な動作によって、気泡をトラップチャンバーへ除去することができる。
【００１１】
また、本発明は、
前記トラップチャンバーよりも下流側の位置であって前記輸液ポンプが気泡を検出した場合に閉塞される位置よりも上流側の位置には、使用者が操作することによって当該位置における流路断面積を小さくすることが可能な流路断面積縮小部材が設けられてもよい。
【００１２】
これにより、気泡を除去する際に、使用者が流路断面積縮小部材を操作して流路断面積を縮小することによって、流路断面積が縮小された位置を通過する気泡がより小さな気泡に細分化される。その結果、より容易に気泡を除去することができる。
【００１３】
また、本発明は、
前記トラップチャンバーは、収縮可能に形成されており、
前記トラップチャンバーの容積は、前記輸液用チューブユニットにおける前記ドリップチャンバーの下流端から当該トラップチャンバーの上流端までの部位における容積よりも大きくてもよい。
【００１４】
これにより、輸液用チューブユニットが閉塞された状態で輸液用チューブユニットに液体をリフィルする際に、トラップチャンバー内の全ての空気をドリップチャンバーに押し出すことができる。
【００１５】
また、本発明は、気泡の除去方法として特定してもよい。即ち、本発明は、
気泡を検出可能な輸液ポンプと、
前記輸液ポンプが装着される輸液用チューブユニットと、を備える輸液システムにおける気泡の除去方法であって、
前記輸液用チューブユニットは、
輸液される液体の送液方向において、前記輸液ポンプよりも上流側に設けられ、前記液体を内部に滴下するドリップチャンバーと、
前記ドリップチャンバーよりも下流側であって前記輸液ポンプよりも上流側に設けられ、前記輸液用チューブユニットの内部で発生した気泡を貯留可能なトラップチャンバーと、を有し、
前記トラップチャンバーは、収縮可能に形成されており、
前記気泡の除去方法は、
前記輸液ポンプが気泡を検出した場合には、当該気泡が検出された位置よりも下流側の位置と、前記トラップチャンバーよりも上流側であって前記ドリップチャンバーよりも下流側の位置とで前記輸液用チューブユニットを閉塞する閉塞工程と、
前記トラップチャンバーを収縮させることによって当該輸液用チューブユニットの内部
を加圧する加圧工程と、
を含む。
【発明の効果】
【００１６】
本発明によれば、輸液における気泡検出アラームの発生頻度を低減することができる。
【図面の簡単な説明】
【００１７】
【図１】本実施形態に係る輸液システムを示す図である。
【図２Ａ】ドア部が閉状態の輸液ポンプを示す図である。
【図２Ｂ】ドア部が開状態の輸液ポンプを示す図である。
【図３】本実施形態に係るチューブユニットを示す図である。
【図４】本実施形態に係る輸液システムにおいて気泡が発生したときの状態を説明するための説明図である。
【図５】トラップチャンバー及び閉塞部材を有さない比較例としての輸液システムにおける気泡除去作業を説明するための説明図である。
【図６】本実施形態に係る輸液システムにおいて閉塞部材を用いた気泡除去作業を説明するための説明図である。
【図７】本実施形態に係る輸液システムにおいて閉塞部材を用いた気泡除去作業の手順を示す図である。
【図８】本実施形態に係る輸液システムにおけるリフィル方法を説明するための説明図である。
【図９】本実施形態に係る輸液システムの変形例を示す図である。
【発明を実施するための形態】
【００１８】
次に、本発明の実施形態について、図面に基づいて説明する。但し、以下で説明する実施形態は本発明を実施するための例示であり、本実施の形態に記載されている構成要素の寸法、材質、形状、その相対配置等は、特に特定的な記載がない限りは、発明の技術的範囲をそれらのみに限定する趣旨のものではない。
【００１９】
［構成］
まず、本実施形態に係る輸液システム１００の全体構成について説明する。図１は、輸液システム１００の全体図を示す図である。図１に示すように、本実施形態に係る輸液システム１００は、図示しない輸液用スタンド等によって上方から吊下げられるとともに薬液や輸血等の液体を収容する輸液バッグ２と、輸液バッグ２に接続されるとともに液体を送液する輸液用チューブユニット１（以下、チューブユニット１）と、チューブユニット１に装着されるとともにチューブユニット１を押圧することによってチューブユニット１に内部の液体を送液させる輸液ポンプ３と、を備える。チューブユニット１は、内部に液体が流れるルートを形成し、図示しないビン針を介して一端に接続された輸液バッグ２からルート内部に流入する液体を、コネクタ４を介して他端に接続された注射針５まで送液する。以下、チューブユニット１において、輸液バッグ２が接続される側を送液方向の上流側、注射針５が接続される側を送液方向の下流側と称する。即ち、液体は、チューブユニット１内において、上流から下流に送液される。
【００２０】
チューブユニット１は、更に、ビン針を介して輸液バッグ２に接続されるとともに輸液バッグ２より流入する液体を内部に滴下して一時的貯留するドリップチャンバー１２と、ドリップチャンバー１２よりも下流側に配置されるとともに気泡を貯留するトラップチャンバー１３と、ドリップチャンバー１２とトラップチャンバー１３との間に接続されるとともに液体をドリップチャンバー１２からトラップチャンバー１３へ送液する第１チューブ１１１と、トラップチャンバー１３から下流側に連設されるとともに液体をトラップチャンバー１３からルートの下流端に設けられた注射針５へ送液する第２チューブ１１２と
、を有する。第１チューブ１１１と第２チューブ１１２は、ともに、可撓性を有する管状部材である。また、第１チューブ１１１におけるトラップチャンバー１３付近には、使用者が操作することによって第１チューブ１１１を閉塞可能な閉塞部材１４が装着されている。また、第２チューブ１１２の下流端付近には、第２チューブ１１２の流路径を調節することによって液体の流量を調節可能な流量調節クレンメ１５が装着されている。流量調節クレンメ１５は、使用者が閉操作により第２チューブ１１２を縮径することによって、輸液の流量を低減させることができる。流量調節クレンメ１５が完全に閉じられることにより、第２チューブ１１２を圧閉し、液体の流れを止めることができる。以下、第１チューブ１１１と第２チューブ１１２を区別せずに説明する場合は、輸液チューブ１１と称する。
【００２１】
また、第２チューブ１１２における流量調節クレンメ１５よりも上流側には、輸液ポンプ３が装着されている。即ち、輸液ポンプ３は、チューブユニット１におけるトラップチャンバー１３よりも下流側であって、流量調節クレンメ１５よりも上流側の位置に装着される。このとき、輸液システム１００において、トラップチャンバー１３は、輸液ポンプ３の上流であって輸液ポンプ３に近い位置に配置されている。これにより、トラップチャンバー１３は輸液ポンプ３の直上に位置している。本実施形態に係る輸液システム１００は、輸液ポンプ３が第２チューブ１１２を押圧することによって、チューブユニット１内部の液体を下流へと送液する。そして、注射針５が患者の静脈に刺針された状態で留置されることで、輸液バッグ２内の液体が患者の体内へと注入される。
【００２２】
次に、図２Ａ、図２Ｂを用いて、輸液ポンプ３について説明する。図２Ａ、図２Ｂは、本実施形態に係る輸液システム１００において用いられる輸液ポンプ３の一例を示す図である。尚、輸液ポンプ３の説明において、特に説明が無い限り、「上」及び「下」とは、図において視認される上及び下を示し、前は、図における手前方向を示すものとする。
【００２３】
輸液ポンプ３は、チューブユニット１内の液体を送液するとともに、後述する気泡検出センサ３１３が気泡を検出した場合には、気泡検出アラームを発生させて輸液の流れを止めるように動作する。輸液ポンプ３は、輸液システム１００において、上側が送液方向の上流に向くように配置されており、図示しない輸液用スタンド等に固定されて使用される。輸液ポンプ３は、本体部３１と、本体部３１に開閉可能に取り付けられたドア部３２とによって構成される。本体部３１の所定の位置にチューブユニット１の第２チューブ１１２を保持した状態でドア部３２が閉じられることによって、第２チューブ１１２が本体部３１とドア部３２とによって挟持される。これにより、輸液ポンプ３が輸液チューブ１１に装着された状態となる。
【００２４】
図２Ａは、ドア部３２が閉状態である輸液ポンプ３の外観構成を示す図である。図２Ａに示すように、ドア部３２の前面には、各種の情報を表示する表示部３２１と、使用者が輸液ポンプ３を操作するための各種の操作スイッチが配列された操作部３２２と、ドア部３２を開くためのドアロックレバー３２４とが設けられている。また、ドア部３２の上面にはインジケータ３２３が設けられている。
【００２５】
表示部３２１は、単位時間あたりの流量（送液速度）の設定値と実績値とを切り替えて表示する流量表示部３２１ａと、予定量と積算量とを切り替えて表示する予定量／積算量表示部３２１ｂと、各種アラーム情報を表示するアラーム表示部３２１ｃと、を有している。
【００２６】
アラーム表示部３２１ｃは、後述する気泡検出センサ３１３が、輸液チューブ１１内の気泡を検出した際に点灯する。尚、輸液ポンプ３は、気泡が検出されたことを、アラーム表示部３２１ｃによる表示とともにブザー音で発報する。以下、気泡検出アラームとは、
気泡検出センサ３１３が気泡を検出することによるアラーム表示部３２１ｃの表示及びブザー音の発生による発報のことを指す。
【００２７】
操作部３２２は、使用者が操作することによって、送液速度や予定流量の数値を設定することや、輸液を開始・強制停止することや、輸液ポンプ３の電源のＯＮ／ＯＦＦを切り替えることができる。
【００２８】
インジケータ３２３は、輸液ポンプ３の送液状態を報知する機能を備えている。インジケータ３２３は、例えば、送液中は緑色に回転点灯し、何らかの異常により送液が停止した場合は、赤色に点灯または点滅する。
【００２９】
図２Ｂは、ドア部３２が開状態である輸液ポンプ３の外観構成を示す図である。図２Ｂに示すように、ドア部３２は、幅方向における測端部に設けられたヒンジ部３３を介して本体部３１の幅方向における測端部に回動可能に接続されている。これにより、ドア部３２が本体部３１に対して開閉自在となる。
【００３０】
ドア部３２の裏面には、ドアシールゴム３２５とバッファプレート３２６が設けられている。また、本体部３１には、チューブガイド溝３１１と、チューブ保持部３１２と、気泡検出センサ３１３と、ポンプ機構３１４と、ポンプ内クレンメ３１５と、クレンメ解除レバー３１６と、が設けられている。
【００３１】
ドアシールゴム３２５は、ゴムにより形成された板部材であり、ドア部３２の裏面における上部に幅方向に延在して設けられている。ドアシールゴム３２５は、ドア部３２が閉じた状態（以下、閉状態）において、本体部３１の内部に液体が浸入することを防止する。バッファプレート３２６は、ドア部３２が閉状態において本体部３１に設けられたポンプ機構３１４と対向する位置に凸形状となっている。バッファプレート３２６は、ポンプ機構３１４によって第２チューブ１１２が押圧される際に、第２チューブ１１２をドア部３２の裏面から支持する。
【００３２】
チューブガイド溝３１１は、本体部３１の前面の上下方向に亘って延在する溝であり、溝の内側に第２チューブ１１２を収容可能に形成されている。チューブガイド溝３１１は、第２チューブ１１２を収容することによって、第２チューブ１１２の幅方向の移動を規制する。
【００３３】
また、チューブガイド溝３１１の上端付近は、第２チューブ１１２の外径と略同等かそれ以下の溝幅となることによって、チューブ保持部３１２を形成している。チューブ保持部３１２は、第２チューブ１１２がチューブ保持部３１２を形成する両側壁の間に押し込まれることによって、第２チューブ１１２を保持する。
【００３４】
ポンプ内クレンメ３１５は、チューブガイド溝３１１の下端付近に設けられ、幅方向から第２チューブ１１２を挟持する。即ち、ポンプ内クレンメ３１５は、送液方向において、気泡検出センサ３１３よりも下流側に位置する。また、ポンプ内クレンメ３１５は、ドア部３２が開けられた状態（以下、開状態）となった場合に、第２チューブ１１２に押圧力を付加することによって、自動的に第２チューブ１１２を圧閉する。尚、ドア部３２が開状態において、ポンプ内クレンメ３１５による第２チューブ１１２の圧閉を解除するには、クレンメ解除レバー３１６を操作すればよい。これにより、第２チューブ１１２への押圧力の付加が解除され、輸液チューブ１１の圧閉が解除される。
【００３５】
チューブユニット１は、第２チューブ１１２がチューブガイド溝３１１に収容されるとともに、チューブ保持部３１２に押し込まれ、ポンプ内クレンメ３１５に挟持されること
によって、本体部３１に固定される。
【００３６】
また、チューブ保持部３１２を形成する両側壁には、所定の大きさ以上の気泡を検出する気泡検出センサ３１３が内蔵されている。第２チューブ１１２内に混入している所定の大きさ以上の気泡は、チューブ保持部３１２付近を通過する際に気泡検出センサ３１３によって検出される。気泡検出センサ３１３は、小型で構造が簡易であることから、超音波を用いたセンサであることが好ましい。このような気泡検出センサ３１３は、空気と水における超音波の減衰率が異なることを利用して、液中に空気が混入したことを検知する。但し、気泡検出センサ３１３の構成は上記に限定されず、種々の構成を選択することができる。
【００３７】
ポンプ機構３１４は、チューブガイド溝３１１の中央付近に設けられている。ポンプ機構３１４には、前後方向に進退可能なフィンガ３１４ａが上下方向に複数配列されている。ポンプ機構３１４は、ドア部３２が閉じられてバッファプレート３２６によって第２チューブ１１２がドア部３２の裏面から支持された状態で、フィンガ３１４ａを前進させることによって、第２チューブ１１２を押圧する。フィンガ３１４ａが上流側から下流側にかけて第２チューブ１１２を順次押圧することによって、第２チューブ１１２に蠕動運動が付与される。ポンプ機構３１４は、フィンガ３１４ａにこの動作を繰り返させることによって、チューブユニット１内の液体を送液方向へ送液する。また、ポンプ機構３１４は、気泡検出センサ３１３が気泡を検出した場合には、即ち、気泡検出アラームが発生した場合には、フィンガ３１４ａを前進させてバッファプレート３２６に第２チューブ１１２を押し付けることによって第２チューブ１１２を圧閉し、輸液の流れを止めるように動作する。
【００３８】
尚、本実施形態における輸液ポンプ３の構成は、上述した態様に限定されず、適宜変更することができる。
【００３９】
図３は、本実施形態に係るチューブユニット１が輸液バッグ２に接続された状態を示す図である。以下、図３を参照して、本実施形態に係るチューブユニット１について説明する。本実施形態に係るチューブユニット１は、ドリップチャンバー１２に加えて、トラップチャンバー１３を備える点で、従来の輸液用チューブと大きく相違する。
【００４０】
ドリップチャンバー１２は、気体及び液体の貯留が可能で、可撓性を有する円筒形状の容器であり、輸液バッグ２から流入する液体を滴下するドリップ部１２１と、ドリップ部１２１から滴下された液体を貯留して下流へ流出させるチャンバー部１２２と、を有する。ドリップチャンバー１２は点滴筒とも呼称される。輸液システム１００において、ドリップチャンバー１２は、チャンバー部１２２にチャンバー部１２２の容積に対して１／３〜１／２の量の液体を貯留し、チャンバー部１２２の下流端に設けられた送液口１２３から液体を送液すると、上流に設けられたドリップ部１２１から液体を滴下させる。即ち、輸液システム１００において、ドリップチャンバー１２の内部は気層と液層に分離した状態で使用され、使用者は、チャンバー部１２２の液面に液体が滴下されていることを視認することによって、輸液バッグ２内に封入されている液体の輸液が確実になされていることを確認することができる。また、液体の単位時間当たりの滴下量は、輸液速度を調整する目安となる。また、ドリップチャンバー１２は、輸液バッグ２の液体を滴下することによって、滴下される液体の内部に存在する微小な気泡の一部を除去する役割も有している。
【００４１】
第１チューブ１１１は、所定の長さを有するとともにドリップチャンバー１２とトラップチャンバー１３とを接続することで液体を送液方向へ送液する管状部材である。即ち、第１チューブ１１１の上流側の端部は、ドリップチャンバー１２の送液口１２３に接続さ
れており、下流側の端部は、トラップチャンバー１３に接続されている。また、第１チューブ１１１は可撓性を有する材料で形成されており、使用者が後述する閉塞部材１４を操作することによって閉塞可能となっている。
【００４２】
トラップチャンバー１３は、液体を充填するとともに、チューブユニット１内に混入した気泡を貯留する容器である。トラップチャンバー１３は、第１チューブ１１１を介してドリップチャンバー１２の下流に接続され、可撓性を有する円筒形状を有する。トラップチャンバー１３の上流端には、第１チューブ１１１から液体が流入する流入口１３１が設けられている。また、トラップチャンバー１３の下流端には、第２チューブ１１２へ液体を流出する流出口１３２が設けられている。トラップチャンバー１３の内径は、第１チューブ１１１及び第２チューブ１１２の内径よりも大きい。換言すると、トラップチャンバー１３の送液方向における断面積は、第１チューブ１１１及び第２チューブ１１２の断面積よりも大きくなっている。また、トラップチャンバー１３の容積は、第１チューブ１１１の容積よりも大きくなっている。より詳細には、トラップチャンバー１３の容積は、ドリップチャンバー１２の下流端である送液口１２３からトラップチャンバー１３の上流端である流入口１３１までの部位の容積よりも大きい。
【００４３】
第２チューブ１１２は、所定の長さを有し、トラップチャンバー１３とルートの下流端に設けられた注射針５との間に接続されることで液体を送液方向へ送液する管状部材である。即ち、第２チューブ１１２の上流側の端部は、トラップチャンバー１３の流出口１３２に接続されており、下流側の端部は、コネクタ４に接続されている。また、第２チューブ１１２も、第１チューブ１１１と同様に可撓性を有する材料で形成されている。そのため、上述したように、輸液ポンプ３の保持部に第２チューブ１１２を押し込む等して、輸液ポンプ３を第２チューブ１１２に装着することができる。
【００４４】
また、第１チューブ１１１におけるトラップチャンバー１３付近には、閉塞部材１４が装着されている。閉塞部材１４は、第１チューブ１１１の外周に装着される支点部１４３と、支点部１４３を介して接続される第１押圧部１４１と第２押圧部１４２と、を有する。閉塞部材１４は、可撓性を有しており、使用者が第１押圧部１４１と第２押圧部１４２とによって第１チューブ１１１を挟持することによって、第１チューブ１１１を閉塞させ、輸液の流れを止めることができる。但し、閉塞部材１４は、上記の形状に限らず、使用者の操作によって第１チューブ１１１を閉塞と開放とを切り替えることができるものであればよい。
【００４５】
［気泡検出アラームの低減］
次に、本実施形態に係る輸液システム１００の作用について説明する。上述したように、輸液ポンプ３には、気泡検出センサ３１３が設けられており、輸液チューブ１１内に所定の大きさ以上の気泡が存在した場合、当該気泡が気泡検出センサ３１３付近を通過することによって、気泡検出センサ３１３が当該気泡を検出する。これにより、生体に気泡が侵入することを防ぐためにポンプ機構３１４が第２チューブ１１２を圧閉して輸液を止める。そして、気泡検出アラームが作動して液中に気泡が混入していることを周囲に知らせる。
【００４６】
ここで、液中に混入する気泡として、まず、ドリップチャンバー１２における液体の滴下の際に発生する気泡が挙げられる。このような気泡は、液滴が液面に滴下する際に、チャンバー部１２２の液層内の液が気層中の気体を巻き込むことによって発生する。これにより発生した気泡は、浮力により液層から気層へ浮き上がってくることも多いが、ドリップチャンバー１２内の液面レベルが低い場合には、滴下の際に発生した気泡が浮力によって上昇する前に送液口１２３まで到達し、そのまま輸液チューブ１１内を送液方向に進行することがある。
【００４７】
また、液中に混入する気泡には、液中の溶存気体が送液中の環境温度の上昇によって気泡として析出したものもある。環境温度の上昇は、気温の急激な上昇の他、輸液ポンプ３の熱や生体の体温等によって引き起こされる。この場合、気泡はチューブユニット１内の何れの箇所においても析出し得るため、トラップチャンバー１３よりも下流において気泡が液中に混入する可能性がある。
【００４８】
また、上述した気泡の発生のしやすさは、輸液される液体の種類や輸液チューブ１１の材質にも依存する。また輸液の速度は速ければ速いほど、気泡が送液方向、即ち生体へ侵入する方向に進みやすくなる。
【００４９】
このようにして液中に混入した気泡が注射針５に到達して生体内に侵入することを未然に防止するために、気泡検出センサ３１３によって気泡を検出しなければならないが、一方で、気泡検出アラームが発生すると、使用者（主に、看護師等の作業者）は後述する気泡除去作業を行わなくてはならない。そのため、気泡検出アラームの発生頻度が高くなると、作業者の負担が大きくなる問題がある。また、頻繁に気泡検出アラームが発生することによって、患者が煩わしく感じるという問題もある。
【００５０】
図４は、本実施形態に係る輸液システム１００において気泡が発生したときの状態を説明する説明図である。上記の問題に対して、本実施形態に係る輸液システム１００は、ドリップチャンバー１２と気泡検出センサ３１３との間にトラップチャンバー１３を設けていることによって、図４に示すように、ドリップチャンバー１２で発生した気泡の一部を気泡検出センサ３１３の位置に到達する前にトラップチャンバー１３に貯留することができる。即ち、気泡を、気泡検出センサ３１３よりも上流に留めることができる。その結果、トラップチャンバー１３が存在しない場合と比較して、気泡検出センサ３１３の位置まで到達する気泡の数が低減されるため、気泡検出アラームの発生頻度を低減することができる。
【００５１】
［気泡除去方法］
ここで、気泡の一部がトラップチャンバー１３に捕捉されずに気泡検出センサ３１３の位置まで到達した場合や、トラップチャンバー１３よりも下流の位置で気泡が発生した場合に、気泡検出センサ３１３が気泡を検出して気泡検出アラームが発生することがある。その場合は、輸液チューブ１１内から気泡を除去する作業（以下、気泡除去作業）を行う必要がある。
【００５２】
図５は、比較例として、トラップチャンバー１３及び閉塞部材１４を有さない輸液システム１００Ａにおける気泡除去作業を説明するための説明図である。気泡除去作業を行うために、作業者は、ドアロックレバー３２４（図２Ａ参照）を操作することによってドアロックを解除し、ドア部３２を開ける。ドア部３２が開かれると、ポンプ内クレンメ３１５が自動的に第２チューブ１１２を圧閉し、気泡がポンプ内クレンメ３１５より下流に進行することが防止される。この状態で気泡除去作業が行われる。気泡除去作業の一般的な方法として、ポンプ内クレンメ３１５を開放し、送液の圧力を用いて気泡をルート下流端から外気に押し出す方法と、ドリップチャンバー１２を気泡が検出された位置（即ち、気泡検出センサ３１３の位置）よりも高い位置に配置した状態で、輸液チューブ１１を弾いたり押圧したりして気泡が浮力によって上昇することを促し、ドリップチャンバー１２の気層まで移動させる方法と、がある。前者の方法の場合、輸液チューブ１１を着脱する手間がかかる他、気泡と同時に液体が排出されてしまうため、投与する液体の量に影響が生じたり輸液に使用する液体によっては作業に危険を伴ったりする問題がある。そのため、液体の排出を伴わない後者の方法が好ましい。しかしながら、後者の方法により気泡を除去する場合、輸液チューブ１１は取り回しの利便性のために所定の長さ以上である必要が
あることから、気泡が検出される位置である気泡検出センサ３１３の位置からドリップチャンバー１２までのルートの距離が長くなるため、気泡がドリップチャンバー１２の気層に到達するまでに長い時間を要しがちである。その結果、作業時間が長くなり、作業者や患者の負担が増すという問題がある。
【００５３】
これに対して本実施形態に係る輸液システム１００は、気泡を貯留可能なトラップチャンバー１３がドリップチャンバー１２と気泡検出センサ３１３との間に設けられている。そのため、輸液システム１００において輸液チューブ１１から気泡を除去するには、気泡をトラップチャンバー１３内に貯留すればよいため、気泡をトラップチャンバー１３まで上昇させるのみで事足りる。即ち、本実施形態に係る輸液システム１００は、トラップチャンバー１３があることによって、輸液チューブ１１から気泡を除去するために輸液チューブ１１を弾く等して気泡を上昇させなければならない距離を短くすることができる。その結果、気泡の除去に要する時間を短縮することができる。更に述べると、輸液システム１００において、気泡検出センサ３１３の位置からトラップチャンバー１３までのルートの距離が短ければ短いほど、気泡除去に要する時間を短縮することができる。本実施形態に係る輸液システム１００は、トラップチャンバー１３が輸液ポンプ３の直上に位置するように配置されているため、気泡検出センサ３１３の位置からトラップチャンバー１３までのルートの距離が短くなっている。これにより、気泡除去に要する時間が短縮されている。
【００５４】
また、本実施形態に係る輸液システム１００は、閉塞部材１４を用いることによって、より容易に気泡除去作業を行うことができる。図６は、本実施形態に係る閉塞部材１４を用いた気泡除去作業を示す図である。また、図７は、気泡除去作業の手順を示す図である。
【００５５】
まず、作業者は、ステップＳ０１において、ドア部３２が開状態であり、ポンプ内クレンメ３１５によって第２チューブ１１２が閉塞した状態で、閉塞部材１４を閉じることによって、第１チューブ１１１を閉塞する（閉塞工程）。これにより、チューブユニット１は、閉塞部材１４とポンプ内クレンメ３１５とによってトラップチャンバー１３よりも上流側であってドリップチャンバー１２よりも下流側の位置と気泡が検出された位置よりも下流側の位置とで閉塞され、密閉された状態となる。即ち、チューブユニット１には、送流方向において閉塞部材１４からポンプ内クレンメ３１５まで連なる一つの閉じた空間が形成されており、気泡が当該空間に閉じ込められている。この状態で、ステップＳ０２において、作業者がトラップチャンバー１３を握持し、押圧することによって、トラップチャンバー１３の収縮と復元を繰り返す（加圧工程）。トラップチャンバー１３が収縮することによって、当該空間の液体及び気泡が加圧される。トラップチャンバー１３の収縮と復元が繰り返されることで、加圧が繰り返されることによって、空間内の気泡が徐々に移動する。気泡は気泡検出センサ３１３の付近から一旦、送液方向の下流へ移動し、ポンプ内クランプの付近まで移動した後に上流へ移動し、最後にはトラップチャンバー１３に捕捉される。このようにして、輸液チューブ１１内の気泡をトラップチャンバー１３に貯留することができる。本実施形態に係る気泡除去方法によると、輸液チューブ１１を何度も弾く等の動作をしなくても、閉塞部材１４を閉じてトラップチャンバー１３を容易に気泡の除去を行うことができる。輸液チューブ１１内の全ての気泡を除去し、トラップチャンバー１３に貯留した後は、閉塞部材１４を開放してから、アラームを解除して輸液を再開するための所定の操作を行うことにより、輸液を再開することができる。
【００５６】
ここで、気泡が大きいことによって輸液チューブ１１の内壁に気泡が接触している場合、表面張力によって気泡がチューブの内壁に付着することが考えられる。この状態では、輸液チューブ１１を外部から弾く等して衝撃を与えても、気泡が上昇し難く、気泡除去作業が困難となる虞がある。しかしながら、閉塞部材１４を用いた気泡除去方法によると、
トラップチャンバー１３を収縮させて輸液チューブ１１内部の圧力を高めることによって、気泡を収縮させることができる。気泡が収縮することにより、気泡が輸液チューブ１１の内壁から剥離するか、気泡と内壁との接触面積が小さくなる。そして、気泡に生じる表面張力を浮力が上回ると、気泡が浮力により上昇し易くなる。これによると、本実施形態に係る輸液システム１００は、輸液チューブ１１の内壁に付着した大きな気泡を容易に除去することができる。
【００５７】
また、トラップチャンバー１３と気泡との距離が短ければ短いほど効果的に気泡を除去することが可能となる。即ち、気泡が検出される位置である気泡検出センサ３１３の位置からトラップチャンバー１３までのルートの距離は、短いほどよい。具体的には、気泡検出センサ３１３とトラップチャンバー１３の間のルート距離は、１０ｃｍ以下とすることが好ましく、８ｃｍ以下とすることがより好ましい。但し、本発明はこれに限定されない。
【００５８】
尚、トラップチャンバー１３の容積が大きければ大きいほど、トラップチャンバー１３を収縮させたときに気泡に作用する圧力が大きくなるため、気泡をより収縮させることができ、気泡の除去がより容易となる。
【００５９】
尚、以上説明した方法は、ステップＳ０１において、ポンプ内クレンメ３１５による輸液チューブ１１の閉塞に代えて、流量調節クレンメ１５を閉操作することによって輸液チューブ１１を閉塞してもよい。
【００６０】
また、貯留した気泡は、後述する方法でドリップチャンバー１２内に排出することができるため、気泡を貯留しておき、ある程度まで気泡が溜まったら除去してもよい。これにより、気泡検出アラームの発生頻度をより低減することができる。
【００６１】
［リフィル方法］
次に、本実施形態に係る輸液システム１００における、チューブユニット１のリフィル方法について説明する。輸液バッグ２及びルートの液体が空になった場合、輸液バッグ２のみを取り替えて輸液チューブ１１内を再び液体で満たす（リフィル）必要がある。リフィルの一般的な方法として、ポンプ内クレンメ３１５を開放して、液体をチューブユニット１のルート下流端より排出することで、送液の圧力を用いて空気をルートの下流端から押し出し、輸液チューブ１１内を液体で満たす方法がある。しかしながら、この方法では、輸液チューブ１１内の空気が送液される液体によって外部に押し出されるため、第１チューブ１１１、トリップチャンバー、及び第２チューブ１１２内に液体を満たすことが可能であるが、上述したように、輸液チューブ１１より液体を排出する必要があるため、危険を伴う虞がある。そのため、輸液チューブ１１を閉塞し、液体が排出されない状態でリフィルを行うことが好ましい。
【００６２】
図８は、本実施形態に係るリフィル方法を示す図である。図８に示すリフィル方法では、まず、ポンプ内クレンメ３１５によって第２チューブ１１２を閉塞し、輸液バッグ２を新しいものに取替える。次に、第２チューブ１１２がポンプ内クレンメ３１５によって閉じられ、第１チューブ１１１が開放された状態でドリップチャンバー１２の収縮と復元を繰り返す。これにより、輸液バッグ２から液体がトリップチャンバーに吸引され、ドリップチャンバー１２が液体で満たされる。この段階では、第１チューブ１１１及びトラップチャンバー１３内は液体が十分に満たされていない。ドリップチャンバー１２内にある程度まで液体が満たされたら、次に、トラップチャンバー１３の収縮と復元を繰り返す。そうすることによって、トラップチャンバー１３がドリップチャンバー１２内の液体を吸引し、トラップチャンバー１３内の空気がドリップチャンバー１２内の液体と交換されていく。これを更に繰り返すことによって、トラップチャンバー１３及び第１チューブ１１１
、第２チューブ１１２を液体で満たすことができる。トラップチャンバー１３に残った空気は、トラップチャンバー１３を収縮させることによってドリップチャンバー１２の気層に送り出すことができる。ここで、本実施形態に係るトラップチャンバー１３は、トラップチャンバー１３の容積が第１チューブ１１１の容積よりも大きくなるように形成されている。より詳しくは、トラップチャンバー１３は、使用者がこれを収縮させたときに、トラップチャンバー１３から第１チューブ１１１へ押し出される流体の容積が第１チューブ１１１の容積よりも大きくなるように形成されている。そのため、トラップチャンバー１３内の空気を第１チューブ１１１に空気を留まらせずに、ドリップチャンバー１２の気層へと送り出すことができる。尚、以上説明した方法は、ポンプ内クレンメ３１５に代えて、流量調節クレンメ１５によって輸液チューブ１１を閉塞してもよい。
【００６３】
［作用・効果］
以上より、本実施形態に係るチューブユニット１は、液体の送液方向において、輸液ポンプ３よりも上流側に設けられ、液体を内部に滴下するドリップチャンバー１２と、ドリップチャンバー１２よりも下流側であって輸液ポンプ３よりも上流側に設けられ、チューブユニット１の内部で発生した気泡を貯留可能なトラップチャンバー１３と、を有することによって、チューブユニット１の内部で気泡が発生した場合に、気泡の一部を気泡検出センサ３１３に到達する前にトラップチャンバー１３に貯留することができる。即ち、気泡を、気泡検出センサ３１３よりも上流に留めることができる。これにより、本実施形態に係るチューブユニット１によれば、気泡検出アラームの頻度を低減することできる。その結果、作業者や患者の負担を軽減することができる。また、輸液ポンプ３の気泡検出センサ３１３が気泡を検出し、気泡を輸液チューブ１１から除去する場合、トラップチャンバー１３があることによって、トラップチャンバー１３が無い場合と比較して、輸液チューブ１１から気泡を除去するために気泡を上昇させなければならない距離を短くすることができる。その結果、気泡の除去に要する時間を短縮することができる。
【００６４】
また、本実施形態に係るチューブユニット１は、輸液ポンプ３の気泡検出センサ３１３が気泡を検出した場合には、気泡検出センサ３１３よりも下流の位置にあるポンプ内クレンメ３１５によって閉塞される。また、チューブユニット１は、ドリップチャンバー１２よりも下流であって、トラップチャンバー１３よりも上流の位置に、使用者が操作することによってチューブユニット１を閉塞可能な閉塞部材１４が設けられており、且つ、トラップチャンバー１３は、収縮可能に形成されている。これにより、ポンプ内クレンメ３１５と閉塞部材１４とによって、気泡が検出された位置よりも下流側の位置とトラップチャンバー１３よりも上流側であってドリップチャンバー１２よりも下流側の位置で輸液用チューブユニット１を閉塞することができ、その状態で、トラップチャンバー１３を収縮させることによって、チューブユニット１内を加圧することができる。その結果、トラップチャンバー１３の収縮と復元を繰り返すという簡単な動作によって、輸液チューブ１１からトラップチャンバー１３へ気泡を除去することができる。更に、上記の動作の際にトラップチャンバー１３が収縮すると、輸液チューブ１１内に生じる圧力によって気泡が収縮する。これにより、輸液チューブ１１の内壁に付着した大きな気泡を内壁より剥離させることができ、より容易に気泡をトラップチャンバー１３へ除去することができる。
【００６５】
更に、本実施形態に係るチューブユニット１は、トラップチャンバー１３の容積が第１チューブ１１１の容積よりも大きくなるように形成されている。即ち、トラップチャンバー１３の容積は、ドリップチャンバー１２の下流端である送液口１２３からトラップチャンバー１３の上流端である流入口１３１までの容積よりも大きい。これにより、ポンプ内クレンメ３１５によってチューブユニット１が閉塞された状態でチューブユニット１に液体をリフィルする際に、トラップチャンバー１３内の全ての空気をドリップチャンバー１２に押し出すことができる。
【００６６】
＜変形例＞
図９は、本実施形態に係る輸液システム１００の変形例を示す図である。図９に示すように、変形例に係る輸液システム１００Ａは、トラップチャンバー１３よりも下流側であって、ポンプ内クレンメ３１５よりも上流側の位置に、使用者の操作によって流路断面積を縮小可能な流路断面積縮小部材１６が設けられている。流路断面積縮小部材１６は、例えば、第２チューブ１１２を押圧することによって縮径させるクレンメであってもよい。気泡除去作業の際に、使用者がこれを操作して流路断面積を縮小することによって、流路断面積が縮小された位置を通過する気泡が切断され、より小さな気泡に細分化される。これにより、より容易に気泡を除去することができる。尚、流路断面積縮小部材１６によって流路径を縮径する場合、縮径後の流路径は、縮径前の１／２以下となることが好ましい。また、気泡検出センサ３１３からトラップチャンバー１３までのルートの距離を短くするために、流路断面積縮小部材１６は、図９に示すように、ポンプ内クレンメ３１５よりも上流側の位置であって、気泡検出センサ３１３よりも下流側に装着されている。即ち、流路断面積縮小部材１６は輸液ポンプ３の内部に収容可能となっている。これにより、第２チューブ１１２において気泡検出センサ３１３の上流側に流路断面積縮小部材１６を装着するための長さを確保する必要がないため、気泡検出センサ３１３からトラップチャンバー１３までのルートの距離を短くすることができる。その結果、より効果的に気泡を除去することができる。
【００６７】
尚、上記した種々の内容は、本発明の技術的思想を逸脱しない範囲において可能な限り組み合わせることができる。
【符号の説明】
【００６８】
１・・・輸液用チューブユニット
１１・・・輸液チューブ
１２・・・ドリップチャンバー
１３・・・トラップチャンバー
１４・・・閉塞部材
１５・・・流量調節クレンメ
１６・・・流路断面積縮小部材
２・・・輸液バッグ
３・・・輸液ポンプ
３１・・・本体部
３１３・・・気泡検出センサ
３１５・・・ポンプ内クレンメ
１００・・・輸液システム
【図１】
2018122054.tif 000003
【図２Ａ】
2018122054.tif 000004
【図２Ｂ】
2018122054.tif 000005
【図３】
2018122054.tif 000006
【図４】
2018122054.tif 000007
【図５】
2018122054.tif 000008
【図６】
2018122054.tif 000009
【図７】
2018122054.tif 000010
【図８】
2018122054.tif 000011
【図９】
2018122054.tif 000012